(57)【要約】      （修正有）【課題】シュレッダーの上カバーを開いたとき、カッタードアが閉じ合わされ、指や異物のいずれも刀具に接触せず、安全性を向上させたシュレッダー用回転カッタードア装置を提供する。【解決手段】ガイドロッド、ガイド板部材、回転軸受及びシュレッダーの軸カッター上方に取付けられるカッタードアを含む。ガイド板部材は、ガイド板及びガイド板支柱を含み、ガイド板がガイド板支柱を介してシュレッダーの軸カッターの側壁に取付けられ、且つガイド板がガイド板支柱上で水平に滑動可能である。ガイド板は斜めに設置された第一滑槽と第二滑槽を設け、ガイドロッドは第一滑槽内に設けられ、回転軸受は第二滑槽内に取付けられ、且つ回転軸受は、カッタードアの回転軸に固設される。【選択図】図１
0003175896.tif 000002
【実用新案登録請求の範囲】
【請求項１】
ガイドロッド、ガイド板部材、回転軸受及びシュレッダーの軸カッター上方に取付けられるカッタードアを含むシュレッダー用回転カッタードア装置であって、
前記ガイド板部材は、ガイド板及びガイド板支柱を含み、前記ガイド板が前記ガイド板支柱を介してシュレッダーの軸カッターの側壁に取付けられ、且つ前記ガイド板が前記ガイド板支柱上で水平に滑動可能であり、
前記ガイド板は斜めに設置された第一滑槽と第二滑槽を設け、前記ガイドロッドは前記第一滑槽内に設けられ、前記回転軸受は前記第二滑槽内に取付けられ、且つ前記回転軸受は、前記カッタードアの回転軸に固設されることを特徴とするシュレッダー用回転カッタードア装置。
【請求項２】
ばねを更に含み、前記ばねの一端は前記ガイド板に水平に固定され、もう一端はシュレッダーに固定されることを特徴とする請求項１記載のシュレッダー用回転カッタードア装置。
【請求項３】
前記第一滑槽が傾斜槽であることを特徴とする請求項１又は２に記載のシュレッダー用回転カッタードア装置。
【請求項４】
前記第二滑槽が水平部と傾斜部から構成されることを特徴とする請求項３記載のシュレッダー用回転カッタードア装置。
【請求項５】
前記ガイド板に、水平方向に第三滑槽が更に設けられ、前記ガイド板支柱が前記第三滑槽内に設けられ、前記ガイド板が前記ガイド板支柱上を水平に滑動可能であることを特徴とする請求項１又は２記載のシュレッダー用回転カッタードア装置。
【請求項６】
前記ガイド板支柱が二つ設けられ、そのうち一つのガイド板支柱は前記ガイド板下方に設けられ、もう一つのガイド板支柱は前記第三滑槽内に設けられることを特徴とする請求項５記載のシュレッダー用回転カッタードア装置。
【請求項７】
前記ガイド板支柱が三つ設けられ、前記ガイド板上に水平方向に第四滑槽を更に設け、第三の前記ガイド板支柱が前記第四滑槽内に設けられることを特徴とする請求項６記載のシュレッダー用回転カッタードア装置。
【請求項８】
前記ガイド板支柱が四つ設けられ、第四の前記ガイド板支柱は前記ガイド板下方に係止されることを特徴とする請求項７記載のシュレッダー用回転カッタードア装置。
【請求項９】
請求項１から６のいずれか一に記載のシュレッダー用回転カッタードア装置を含むシュレッダー。
【考案の詳細な説明】
【技術分野】
【０００１】
本考案はシュレッダーに関し、特に、回転カッタードア装置及びそれを応用したシュレッダーに関する。
【背景技術】
【０００２】
シュレッダーはオフィス機器であり、オフィスの小型化、家庭化に伴い、シュレッダーはますます一般家庭において用いられている。
【０００３】
一般のシュレッダーは上部の機体及び下部に砕紙をためるごみ箱体を含む。機体は紙投入口を含み、紙投入口の下面の機体内に刀具部材を設け、刀具部材は制御回路と接続される。従来のシュレッダーには自動電源遮断機構が設置され、カバーを開けたとき刀具が回転しないよう、電機に接地保護が採用され、金属刀具が帯電しないよう確保されている。しかし、回路が万が一の故障のために、危険が発生する恐れがある。大型のシュレッダーは、投入口が大きく、又、子供の指が細いので、誤ってシュレッダーの投入口内に指を入れると、シュレッダー内の刀具により子供の指を挟んでしまう恐れがあり、依然危険である。又は、異物がシュレッダー内に落下すると、シュレッダーの刀具が破損する恐れがある。
【考案の概要】
【考案が解決しようとする課題】
【０００４】
本考案はシュレッダー用回転カッタードア装置を提供することであり、これにより従来の欠点を克服し、ユーザーが刀具により負傷するのを防ぎ、又、刀具を保護してユーザーの誤用により破損しないようにすることを目的とする。
【課題を解決するための手段】
【０００５】
前記の目的を実現するため、本考案は以下の技術を採用する。
【０００６】
ガイドロッド、ガイド板部材、回転軸受及びシュレッダーの軸カッター上方に取付けられるカッタードアを含むシュレッダー用回転カッタードア装置を提供し、前記ガイド板部材は、ガイド板及びガイド板支柱を含み、前記ガイド板が前記ガイド板支柱を介してシュレッダーの軸カッターの側壁に取付けられ、且つ前記ガイド板が前記ガイド板支柱上で水平に滑動可能である。前記ガイド板は斜めに設置された第一滑槽と第二滑槽を設け、前記ガイドロッドは前記第一滑槽内に設けられ、前記回転軸受は前記第二滑槽内に取付けられ、且つ前記回転軸受は、前記カッタードアの回転軸に固設される。
【０００７】
前記シュレッダー用回転カッタードア装置は、更に、ばねを含み、前記ばねの一端は前記ガイド板に水平に固定され、もう一端はシュレッダーに固定される。
【０００８】
前記ガイド板に、水平方向に第三滑槽が更に設けられ、前記ガイド板支柱が前記第三滑槽内に設けられ、前記ガイド板が前記ガイド板支柱上を水平に滑動可能である。
【０００９】
前記ガイド板支柱が二つ設けられることが好ましく、そのうち一つのガイド板支柱は前記ガイド板下方に設けられ、もう一つのガイド板支柱は前記第三滑槽内に設けられる。
【００１０】
前記ガイド板支柱が三つ設けられることが好ましく、前記ガイド板上に水平方向に第四滑槽を更に設け、前記第三のガイド板支柱が前記第四滑槽内に設けられる。
【００１１】
前記ガイド板支柱が四つ設けられることが好ましく、前記第四のガイド板支柱は前記ガイド板下方に係止される。
【考案の効果】
【００１２】
上記の技術を採用することにより、本考案は以下のメリットを有する。
【００１３】
１．シュレッダーの上カバーがカッタードアのガイドロッドに連結され、シュレッダーの上カバーを開けたとき、カッタードアが閉じ合わされ、手や異物が軸カッターに接触することがない。シュレッダーの上カバーが閉じ合わされた時、カッタードアが開かれ、シュレッダーが正常に作業できる。これにより、シュレッダーの安全性が向上する。
【００１４】
２．カッタードア装置の一側にばねを水平に固定し、振動減少及び緩衝作用を生成し、滑槽ガイド板の運動過程を連動させる。
【００１５】
３．本考案の構造がコンパクトであり、製作が容易で且つコストが安い。
【図面の簡単な説明】
【００１６】
【図１】本考案のガイドロッドが滑槽上方に位置する時の立体構造図である。
【図２】本考案のガイドロッドが滑槽上方に位置する時の正面図である。
【図３】本考案のガイドロッドが滑槽下方に位置する時の立体構造図である。
【図４】本考案のガイドロッドが滑槽下方に位置する時の正面図である。
【図５】本考案のガイドロッドが滑槽上方に位置する時のシュレッダー上に取付けた使用状態図である。
【図６】本考案のガイドロッドが滑槽下方に位置する時のシュレッダー上に取付けた使用状態図である。
【考案を実施するための形態】
【００１７】
本考案の目的、技術及びメリットを更に明瞭にするため、以下において図面及び実施例を合わせて、本考案について更に詳細に説明する。ここで描写する具体的な実施例は本考案を説明するものであり、本考案をこれに限定するものではない。
【実施例】
【００１８】
図１は、本考案に開示されたシュレッダー用回転カッタードア装置であり、ガイドロッド１００、ガイド板部材２００、回転軸受３００、カッタードア４００、ばね５００及び軸カッター６００を含む。
【００１９】
ガイド板部材２００は、ガイド板２１０とガイド板支柱２２０を含み、ガイド板２１０が四つのガイド板支柱２２０によりシュレッダー軸カッター６００の側壁７００に固定される。
【００２０】
ガイド板２１０に第一滑槽２３０、第二滑槽２４０、第三滑槽２５０及び第四滑槽２６０を設ける。ガイドロッド１００はガイド板２１０の第一滑槽２３０内に位置し、第一滑槽２３０は傾斜部であり、ガイドロッド１００が動力作用の下で垂直に下へ運動したとき、ガイド板２１０を左へ移動させる。回転軸受３００がガイド板２１０の第二滑槽２４０内に取付けられ、且つカッタードア４００の回転軸上に固設され、第二滑槽２４０が水平部と傾斜部からなる。
【００２１】
四つのガイド板支柱２２０のうち、二つのガイド板支柱２２０はガイド板２１０の底端面に位置して、ガイド板２１０を支持する。一つのガイド板支柱２２０は水平方向の第三滑槽２５０内に位置する。一つのガイド板支柱２２０は水平方向の第四滑槽２６０内に位置して、ガイド板２１０を水平方向だけに滑動させる。ガイド板２１０の一側にばね５００を固定し、ばね５００のもう一側はシュレッダーの固定柱に固定させる。
【００２２】
カッタードア４００はシュレッダーの軸カッター６００の上方に位置する。
【００２３】
図５及び図６に示すように、シュレッダーは二つの軸カッター６００を含み、一つの軸カッター６００の上方が回転カッタードア装置であり、もう一つの軸カッター６００の上方は紙供給ローラー機構８００であり、ばね５００はシュレッダー上の固定柱に連結され、ガイドロッド１００の上端面はシュレッダーの上カバーに固定され、上カバーの開閉により、第一滑槽２３０内で並進運動を行う。ガイドロッド１００は第一滑槽２３０に沿って移動し、ガイド板２１０を駆動して水平移動し、回転軸受３００を第二滑槽２４０内で移動させ、最後にカッタードア４００を回転動作させる。図５は、上カバーを開いたときのシュレッダーの作業状態を示す図である。その回転カッタードア装置の作業状態は図１、２に示す通りであり、図６は、上カバーを閉じたときのシュレッダーの作業状態を示す図である。その回転カッタードア装置の作業状態は図３、４に示すとおりであり、以下においてこの二つの作業状態について更に説明する。
【００２４】
図１と図２に示すように、この時ガイドロッド１００が上へ上がっている状態であり、ガイドロッド１００と固定された上カバーが開いた状態である。回転軸受３００が第二滑槽２４０のxy2位置にあり、第三滑槽２５０、第四滑槽２６０内のガイド支柱２２０がいずれもx0の位置に位置する。この時カッタードア４００が閉じられ、ばね５００は圧縮状態である。手やその他の異物が軸カッター６００に接触することができないので、シュレッダーの安全性が向上する。
【００２５】
上カバーが閉じられたとき、図３及び図４に示すように、ガイドロッド１００が下圧されガイド板２１０の第一滑槽２３０の軌道へ進入し、第一滑槽２３０内のyoからy1まで位置し、同時にガイド板２１０が左へ平行移動し、第三滑槽２５０と第四滑槽２６０内のガイド支柱２２０がxoからx1まで位置し、回転軸受３００が第二滑槽２４０内のxy2からxy3まで位置し、ばね５００は伸びた状態であり、同時にカッタードア４００は９０度回転し、カッタードアが開き、機体は作業状態になる。
【００２６】
図５、６に示すように、本考案は前記回転カッタードア装置を含むシュレッダーを更に提供する。
【００２７】
以上は、本考案の具体的な実施例を説明したものであり、本考案に係る範囲を制限するものではない。本考案において開示された技術範囲内であれば、当業者が変更や置換を容易に想到でき、いずれも本考案の範囲内である。よって、本考案に係る範囲は実用新案登録請求の範囲を基準とする。
【符号の説明】
【００２８】
１００    ガイドロッド
２００    ガイド板部材
２１０    ガイド板
２２０    ガイド板支柱
２３０    第一滑槽
２４０    第二滑槽
２５０    第三滑槽
２６０    第四滑槽
３００    回転軸受
４００    カッタードア 
５００    ばね
６００    軸カッター
７００    側壁
８００    紙供給ローラー機構
【図１】
0003175896.tif 000003
【図２】
0003175896.tif 000004
【図３】
0003175896.tif 000005
【図４】
0003175896.tif 000006
【図５】
0003175896.tif 000007
【図６】
0003175896.tif 000008